(57)【要約】【課題】給水管を更新するよりも費用を低く抑えることができ、必要な場合に過疎地や限界集落等における各需要者宅へ水を供給できる、浄水供給システムを提供する。【解決手段】この浄水供給システムは、浄水場１から輸送手段１０によって水が供給される中継水槽２０と、中継水槽２０と各需要者宅５とを連結する複数の配水管３０とを有しており、中継水槽２０内には、配水管３０に接続される複数のカートリッジ型タンク４０が着脱可能に収容されており、各カートリッジ型タンク４０に、浄水場１から輸送手段１０によって水が供給されるようになっており、各カートリッジ型タンクに貯留された水４０が、中継水槽２０又は配水管３０の途中に設けられたポンプＰ、或いは、中継水槽２０と各需要者宅５との水位差を利用して、配水管３０を通して各需要者宅５へ送出されるように構成されている。【選択図】図１
2020079525.tif 000002
【特許請求の範囲】
【請求項１】
浄水場から複数の需要者宅へ水を供給するための浄水供給システムであって、
前記浄水場から輸送手段によって水が供給される中継水槽と、
前記中継水槽と前記各需要者宅とを連結する複数の配水管とを有しており、
前記中継水槽内には、前記配水管に接続される複数のカートリッジ型タンクが着脱可能に収容されており、
前記各カートリッジ型タンクに、前記浄水場から前記輸送手段によって水が供給されるようになっており、
前記各カートリッジ型タンクに貯留された水が、前記中継水槽又は前記配水管の途中に設けられたポンプ、或いは、前記中継水槽と前記各需要者宅との水位差を利用して、前記配水管を通して各需要者宅へ送出されるように構成されていることを特徴とする浄水供給システム。
【請求項２】
前記カートリッジ型タンクとして、飲料水として使用可能な水を貯留する飲料水用カートリッジ型タンクと、生活水として使用可能な水を貯留する生活水用カートリッジ型タンクとを有し、
前記配水管として、前記飲料水用カートリッジ型タンクに貯留された水を各需要者宅へ送る飲料水用配水管と、前記生活水用カートリッジ型タンクに貯留された水を各需要者宅へ送る生活水用配水管とを有している、請求項１記載の浄水供給システム。
【請求項３】
前記中継水槽には、前記カートリッジ型タンク内の残水量、水質、残留塩素から選ばれた少なくとも１つを検出する監視装置が設けられており、
通信手段を介して、前記浄水場及び前記監視装置のそれぞれと通信可能な管理センターが設けられており、
前記管理センターは、前記監視装置から受信した、残水量、水質、残留塩素から選ばれた少なくとも１つの情報に基づいて、前記浄水場に対して、前記中継水槽への給水、メンテナンスから選ばれた少なくとも１つの必要とされる作業情報を送信するように構成されている、請求項１又は２記載の浄水給水システム。
【請求項４】
前記中継水槽には、前記ポンプ及び／又は前記監視装置を動作させるための電力を蓄えて供給するための自然発電装置が設置されている、請求項３記載の浄水供給システム。
【請求項５】
前記中継水槽は、地下に埋設されている、請求項１〜４のいずれか１項に記載の浄水供給システム。
【請求項６】
前記飲料水用カートリッジ型タンクと、前記生活水用カートリッジ型タンクとは、前記中継水槽内の別々の区画に着脱可能に収容されている、請求項２記載の浄水供給システム。
【請求項７】
前記配水管は樹脂製で、地上に露出した状態で配管される、請求項１〜６のいずれか１つに記載の浄水供給システム。
【発明の詳細な説明】
【技術分野】
【０００１】
本発明は、浄水場から複数の需要者宅へ水を供給するための、浄水供給システムに関する。
【背景技術】
【０００２】
従来、浄水場と各需要者宅とは給水管で連結されており、浄水場からの浄水は、給水管を通じて、各需要者宅へ供給されるようになっている。また、給水管が老朽化したり破損したりした場合には、新しい給水管を更新することが行われている。
【０００３】
ところで、給水管の更新には多額のコストがかかる。そのため、そのコストの低廉化を図るためのものとして、下記特許文献１には、更新用配管として可撓性に秀れるとともに高寿命のポリブテン管を用い、これを作業用点検穴から挿入して既設管に沿って延長し、さらに結束手段によって既設管に固定するようにした、住戸内配管の更新方法が記載されている。
【０００４】
また、上記のような給水管の更新は、過疎地や、いわゆる限界集落などでは、経済的又は行政効率の観点から難しい。そのため、例えば、各需要者宅に貯水槽を設置すると共に、浄水場からの水を給水車で各需要者宅へ搬送して、前記貯水槽に貯留することが提案されている。
【先行技術文献】
【特許文献】
【０００５】
【特許文献１】特開平１１−１０７３３７号公報
【発明の概要】
【発明が解決しようとする課題】
【０００６】
ところで、地震や火災等の災害時には、浄水場と各需要者宅とを連結する給水管が破損してしまって、断水することがあり、過疎地や限界集落等における各需要者宅へ、水を供給できないことがあった。
【０００７】
また、上記のような災害時においては、道路が寸断されることが多いので、上述したように、給水車による、過疎地や限界集落等における各需要者宅への水の供給は難しい。
【０００８】
更に、大震災等の大規模災害時においては、水が必要とされる地域に供給したい場合があるが、給水車等による給水のみでは、対応することが困難であった。
【０００９】
したがって、本発明の目的は、給水管を更新するよりも、費用を低く抑えることができると共に、災害時等において、過疎地や限界集落等における各需要者宅や、水が必要とされる地域へ水を供給することができる、浄水供給システムを提供することにある。
【課題を解決するための手段】
【００１０】
上記目的を達成するため、本発明は、浄水場から複数の需要者宅へ水を供給するための浄水供給システムであって、前記浄水場から輸送手段によって水が供給される中継水槽と、前記中継水槽と前記各需要者宅とを連結する複数の配水管とを有しており、前記中継水槽内には、前記配水管に接続される複数のカートリッジ型タンクが着脱可能に収容されており、前記各カートリッジ型タンクに、前記浄水場から前記輸送手段によって水が供給されるようになっており、前記各カートリッジ型タンクに貯留された水が、前記中継水槽又は前記配水管の途中に設けられたポンプ、或いは、前記中継水槽と前記各需要者宅との水位差を利用して、前記配水管を通して各需要者宅へ送出されるように構成されていることを特徴とする。
【００１１】
上記発明によれば、浄水場から、タンクローリー車等の輸送手段によって、中継水槽の各カートリッジ型タンクに水を供給した後、各カートリッジ型タンクに貯留された水を、ポンプや水位差を利用して、配水管を通して、各需要者宅に供給することができる。
【００１２】
そして、この浄水供給システムにおいては、浄水場から輸送手段によって、一旦、中継水槽の各カートリッジ型タンクに貯留した後、配水管を通じて各需要者宅へ供給するので、給水管を更新するよりも、浄水供給システムの構築費用を低く抑えることができ、経済的となる。
【００１３】
また、複数のカートリッジ型タンクは中継水槽内に着脱可能に収容されているので、例えば、地震や台風、火災等の災害によって、浄水場と各需要者宅とを連結する給水管、あるいは中継水槽と各需要者宅とを連結する配水管が破損して断水した際に、中継水槽から水が貯留されたカートリッジ型タンクを取外して、水が必要な地域に搬送して、カートリッジ型タンクから直接、水を需要者に供給することができる。
【００１４】
本発明の浄水供給システムにおいては、前記カートリッジ型タンクとして、飲料水として使用可能な水を貯留する飲料水用カートリッジ型タンクと、生活水として使用可能な水を貯留する生活水用カートリッジ型タンクとを有し、前記配水管として、前記飲料水用カートリッジ型タンクに貯留された水を各需要者宅へ送る飲料水用配水管と、前記生活水用カートリッジ型タンクに貯留された水を各需要者宅へ送る生活水用配水管とを有していることが好ましい。
【００１５】
上記態様によれば、飲料水と生活水とを、飲料水用カートリッジ型タンクや生活水用カートリッジ型タンクに、別々に貯留して供給することができ、生活水は浄水場での水処理作業を簡略化できるので、全てを飲料水として提供する場合に比べて、浄水場での水処理作業を効率化することができる。
【００１６】
本発明の浄水供給システムにおいては、前記中継水槽には、前記カートリッジ型タンク内の残水量、水質、残留塩素から選ばれた少なくとも１つを検出する監視装置が設けられており、通信手段を介して、前記浄水場及び前記監視装置のそれぞれと通信可能な管理センターが設けられており、前記管理センターは、前記監視装置から受信した、残水量、水質、残留塩素から選ばれた少なくとも１つの情報に基づいて、前記浄水場に対して、前記中継水槽への給水、メンテナンスから選ばれた少なくとも１つの必要とされる作業情報を送信するように構成されていることが好ましい。
【００１７】
上記態様によれば、管理センターは、監視装置から受信した残水量、水質、残留塩素から選ばれた少なくとも１つの情報に基づいて、浄水場に対して、中継水槽への給水、メンテナンスから選ばれた少なくとも１つの必要とされる作業情報を送信するので、浄水場では、カートリッジ型タンク内の貯留水の状況変化に対して、確実かつ迅速に対処することが可能となる。
【００１８】
本発明の浄水供給システムにおいては、前記中継水槽には、前記ポンプ及び／又は前記監視装置を動作させるための電力を蓄えて供給するための自然発電装置が設置されていることが好ましい。
【００１９】
上記態様によれば、中継水槽には、ポンプ及び／又は監視装置を動作させるための電力を蓄えて供給するための自然発電装置が設置されているので、浄水供給システムをより経済的にすることができると共に、地震や台風、火災等の災害によって電力供給が途絶えた場合でも、例えば、太陽光や、風力、地熱等を利用する自然発電装置の電力によって、ポンプや監視装置を動作させることができる。
【００２０】
本発明の浄水供給システムにおいては、前記中継水槽は、地下に埋設されていることが好ましい。この態様によれば、中継水槽は、外気温に影響されにくい地下に埋設されているので、各カートリッジ型タンクに貯留された水の水温の変動を少なくすることができる。
【００２１】
本発明の浄水供給システムにおいては、前記飲料水用カートリッジ型タンクと、前記生活水用カートリッジ型タンクとは、前記中継水槽内の別々の区画に着脱可能に収容されていることが好ましい。
【００２２】
上記態様によれば、飲料水用カートリッジ型タンクと、生活水用カートリッジ型タンクとは、中継水槽内の別々の区画に着脱可能に収容されているので、飲料水用カートリッジ型タンク内の水と、生活水用カートリッジ型タンク内の水とがリークすることを確実に防止することができる。また、区画を分けて収容することにより、作業時に飲料水用カートリッジ型タンクと、生活水用カートリッジ型タンクとを取り違えることを防止できる。
【００２３】
本発明の浄水供給システムにおいては、前記配水管は樹脂製で、地上に露出した状態で配管されることが好ましい。この態様によれば、配水管は樹脂製で、地上に露出した状態で配管されるので、配水管自体のコストを低く抑えることができると共に、配水管の配管も比較的容易なため、浄水供給システムの構築がより簡単になる。
【発明の効果】
【００２４】
本発明によれば、浄水場から輸送手段によって、一旦、中継水槽の各カートリッジ型タンクに貯留した後、配水管を通じて各需要者宅へ供給するので、給水管を更新するよりも、浄水供給システムの構築費用を低く抑えることができ、経済的となる。また、複数のカートリッジ型タンクは中継水槽内に着脱可能に収容されているので、必要な場合には、中継水槽から水が貯留されたカートリッジ型タンクを取外して、水が必要な地域に搬送して、カートリッジ型タンクから直接、水を需要者に供給することができる。
【図面の簡単な説明】
【００２５】
【図１】本発明に係る浄水供給システムの一実施形態を示す、概略説明図である。
【図２】同浄水供給システムを構成する中継水槽の概略構造を示す平面図である。
【図３】図２のＡ−Ａ矢視線における断面説明図である。
【図４】図２のＢ−Ｂ矢視線における断面説明図である。
【発明を実施するための形態】
【００２６】
以下、図面を参照して、本発明に係る浄水供給システムの、一実施形態について説明する。
【００２７】
図１に示すように、この浄水供給システムは、浄水場１から複数の需要者宅５へ水を供給するための浄水供給システムであり、浄水場１から輸送手段１０によって水が供給される、中継拠点１５に設けられた中継水槽２０と、中継水槽２０と各需要者宅５とを連結する複数の配水管３０とを有している。中継水槽２０内には、配水管３０に接続される複数のカートリッジ型タンク４０が着脱可能に収容されており、各カートリッジ型タンク４０に、浄水場１から輸送手段１０によって水が供給されるようになっている。中継水槽２０には、各カートリッジ型タンク４０に貯留された水を、配水管３０を通して各需要者宅５へ送出するポンプＰが設けられている。
【００２８】
前記輸送手段１０としては、例えば、浄水場１から取水された水が、タンクに充填された、いわゆるタンクローリーを用いることができる。このタンクは、飲料水と生活水とを分けて充填可能であることが好ましい。ただし、輸送手段としては、飲料水や生活水を充填可能なタンクを積載した、トラックやトレーラー等であってもよく、特に限定はされない。
【００２９】
また、需要者宅５は、戸建ての一般家庭を想定しているが、マンションやアパート等の集合住宅や、各種店舗、寺社、雑居ビル、学校、病院等であってもよい。
【００３０】
中継水槽２０内には、配水管３０に接続される複数のカートリッジ型タンク４０が着脱可能に収容されており、各カートリッジ型タンク４０に、浄水場１から輸送手段１０によって水が供給されるようになっている。なお、輸送手段１０により、水が充填されたカートリッジ型タンク４０を運び、中継水槽２０のカートリッジ型タンク４０と交換することにより、水を供給するようにしてもよい。
【００３１】
図２、３に示すように、前記カートリッジ型タンク４０は、飲料水として使用可能な水を貯留する飲料水用カートリッジ型タンク４１（以下、単に「飲料水用タンク４１」ともいう）と、生活水として使用可能な水を貯留する生活水用カートリッジ型タンク４５（以下、単に「生活水用タンク４５」ともいう）とを有している。
【００３２】
この実施形態における飲料水用タンク４１及び生活水用タンク４５は、高さ方向が横幅方向よりも長く、かつ、奥行が比較的短い、略矩形箱状をなしていいる。各タンク４１，４５の上方の一側部には、タンク４１，４５内の空気を排出可能な、空気抜き部４１ａ，４５ａが設けられており、また、上方中央部には、クレーンのフック等を引き掛け可能な、引き掛け部４１ｂ，４５ｂが設けられている。
【００３３】
上記のカートリッジ型タンク４０は、例えば、ＦＲＰ等の樹脂、ステンレス鋼等の金属、木材などで形成することができるが、後述する監視装置５０（図１参照）によって、タンク外部からタンク内の残水量等が視認できるように、透明性を有する樹脂製のものであることが好ましい。
【００３４】
更に、カートリッジ型タンクの形状や構造としては、上記態様に限定されるものではなく、例えば、立方体のようなキューブ状としたり、略円筒状等としたりしてもよく、特に限定されない。また、この実施形態では、飲料水用タンク４１と、生活水用タンク４５とは、両者同一形状となっているが、区別できるような形状としてもよい。
【００３５】
そして、前記中継水槽２０は、この実施形態の場合、中継拠点１５の地下に埋設されている（図１参照）。なお、中継拠点１５としては、例えば、コンビニエンスストアや、ガソリンスタンド、寺社、病院、学校、図書館、公民館、公園等を挙げることができる。
【００３６】
図２及び図３を併せて参照すると、この実施形態における中継水槽２０は、平面的に見て長方形状をなす底壁２１と、該底壁２１の４つの辺から立設され、枠状に連結された側壁２２とからなり、上方が開口した略長方形の箱状をなしている。この中継水槽２０の内部空間が、複数のカートリッジ型タンク４０を着脱可能に収容する、タンク収容空間２４をなしている。また、前記底壁２１の短辺方向の中央部には、長辺方向に沿って樋状に延びる、凹部２１ａが形成されている。
【００３７】
更に、この凹部２１ａには、底壁２１の長辺方向に沿って伸びる、ブロック状をなした配管支持壁２５が設置されている。この配管支持壁２５を隔壁（仕切壁）として、中継水槽２０のタンク収容空間２４内に、第１区画Ｅ１と第２区画Ｅ２とが画成されるようになっている。
【００３８】
第１区画Ｅ１には、その長手方向に沿って、複数の飲料水用タンク４１が着脱可能に並列して収容配置されている。一方、第２区画Ｅ２には、その長手方向に沿って、複数の生活水用タンク４５が着脱可能に並列して収容配置されている。また、前記配管支持壁２５の上方側及び下方側には、配管支持壁２５の長手方向に沿って伸びる、第１配管支持部２８及び第２配管支持部２９がそれぞれ形成されている。
【００３９】
更に、一対の側壁２２，２３の上端部には、Ｈ鋼等からなる覆工板支持部２６，２６がそれぞれ載置されており、これらの覆工板支持部２６，２６を介して、格子状をなしたグレーチング等からなる覆工板２７が着脱可能に配置されている。なお、常時は中継水槽２０の上方開口は、覆工板２７によって覆われている。
【００４０】
すなわち、上記の覆工板２７を着脱することで、中継水槽２０の上方開口を開閉して、地上から中継水槽２０のタンク収容空間２４にアクセスすることができるので、タンク収容空間２４内の第１区画Ｅ１に収容された飲料水用タンク４１や、第２区画Ｅ２に収容された生活水用タンク４５を、引き掛け部４１ｂ，４５ｂを介して、クレーンのフック等によって持ち上げたり降ろしたりすることによって、これらのタンク４１，４５を中継水槽２０から着脱可能とすることができるようになっている。
【００４１】
なお、中継水槽２０のタンク収容空間２４における、カートリッジ型タンクの収容方法としては、上記態様に限定されるものではない。例えば、図２において、タンク収容空間２４の上半部の区画に、飲料水用タンクを収容したり、同タンク収容空間２４の下半部の区画に、生活水用タンクを収容したりしてもよい。
【００４２】
また、図２や図３に示すように、複数の飲料水用タンク４１や生活水用タンク４５には、給水管（飲料水用給水管３５や生活水用給水管３６）を介して、輸送手段１０から水が供給されるようになっている。
【００４３】
具体的には次のような構成となっている。すなわち、配管支持壁２５の上方に形成された第１配管支持部２８には、直線状に伸びる飲料水用分配管３５ａ及び生活水用分配管３６ａが並列して配置されている（図３参照）。図３や図４に示すように、飲料水用分配管３５ａは、複数の連結管３５ｂを介して、複数の飲料水用タンク４１にそれぞれ連結されており、生活水用分配管３６ａは、複数の連結管３６ｂを介して、複数の生活水用タンク４５にそれぞれ連結されている。更に図２及び図３に示すように、飲料水用分配管３５ａには、飲料水用給水管３５が連結されており、生活水用分配管３６ａには、生活水用給水管３６が連結されている。
【００４４】
したがって、輸送手段１０から、飲料水用給水管３５を通して飲料水が供給されると、同飲料水は、飲料水用分配管３５ａを流通して、各連結管３５ｂを介して、各飲料水用タンク４１内にそれぞれ供給されるようになっている。一方、輸送手段１０から、生活水用給水管３６を通して生活水が供給されると、同生活水は、生活水用分配管３６ａを流通して、各連結管３６ｂを介して、各生活水用タンク４５にそれぞれ供給されるようになっている。
【００４５】
また、この実施形態における前記配水管３０は、図２に示すように、飲料水用タンク４１に貯留された水を各需要者宅５へ送る飲料水用配水管３１と、生活水用タンク４５に貯留された水を各需要者宅５へ送る生活水用配水管３２とを有している。すなわち、飲料水用タンク４１には飲料水用配水管３１が連結され、生活水用タンク４５には生活水用配水管３２が連結されており、これらの配水管３１，３２を通じて各需要者宅５に飲料水や生活水等の水が供給されるようになっている。
【００４６】
この実施形態の場合、図３に示すように、配管支持壁２５の下方に形成された第２配管支持部２９に、飲料水用配水管３１及び生活水用配水管３２の、直線状に伸びる始端部３１ａ，３２ａ側が並列して配置されている。また、飲料水用配水管３１の始端部３１ａは、複数の連結管３１ｂを介して、複数の飲料水用タンク４１にそれぞれ連結されている。更に、生活水用配水管３２の始端部３２ａは、複数の連結管３２ｂを介して、複数の生活水用タンク４５にそれぞれ連結されている。また、各配水管３１，３２の始端部３１ａ，３２ａよりも下流側（需要者宅５側）には、ポンプＰ（図１参照）が配置されており、各配水管３１，３２内を流通する水を下流側へ向けて送水可能となっている。
【００４７】
なお、この実施形態においては、中継水槽２０にポンプＰが設けられており、このポンプＰによって、カートリッジ型タンク４０に貯留された水を、配水管３０を通して、各需要者宅５へ送出するように構成されているが、この態様に限定されるものではない。例えば、配水管３０の途中（中継水槽２０よりも下流側の位置）にポンプＰを設けて、このポンプＰによって、カートリッジ型タンク４０に貯留された水を、配水管３０を通して各需要者宅５へ送出してもよい。或いは、中継水槽２０が各需要者宅５よりも高所に設置されていて、中継水槽２０と各需要者宅５との間に水位差がある場合には（例えば、山の中腹に中継水槽２０があり、山のふもとに各需要者宅５がある場合等）、この水位差を利用して、カートリッジ型タンク４０に貯留された水を、配水管３０を通して各需要者宅５へ送出してもよい。
【００４８】
また、カートリッジ型タンク４０に貯留された水を、配水管３０を通して各需要者宅５へ送出する構成としては、上述した、中継水槽Ｐや配水管３０の途中に設けたポンプＰによるものや、中継水槽２０と各需要者宅５との水位差を利用するものの、２つ以上を組み合わせてもよい。例えば、中継水槽２０を高所に設置し、かつ、中継水槽２０及び／又は配水管３０の途中にポンプＰを設けて、中継水槽２０と各需要者宅５との水位差を利用しつつ、ポンプＰによって、タンク内の水を配水管３０を通して各需要者宅５へ送出してもよい。
【００４９】
更にこの実施形態では、中継水槽２０が地下に埋設されているため、各配水管３１，３２の始端部３１ａ，３２ａも地下に位置している。ただし、図１に示すように、各配水管３１，３２の始端部３１ａ，３２ａよりも下流側部分は、ポンプＰを介して所定地上に向けて屈曲して伸びて、地上に露出した状態で配管されており、各配水管３１，３２の図示しない終端部が各需要者宅５にそれぞれ連結されるようになっている
【００５０】
したがって、各飲料水用タンク４１内に貯留された飲料水は、連結管３１ｂを通して飲料水用配水管３１へと流出し、一方、各生活水用タンク４５内に貯留された生活水は、連結管３２ｂを通して生活水用配水管３２へと流出するようになっている（図３及び図４参照）。
【００５１】
また、上記の前記配水管３０（飲料水用配水管３１及び生活水用配水管３２）や、給水管（飲料水用給水管３５や生活水用給水管３６）は、例えば、ポリエチレンや、ポリ塩化ビニル等の樹脂や、ダクタイル鋳鉄やステンレス鋼等の金属から形成することができる。この実施形態では、前記配水管３０は、上記の樹脂から形成されている。
【００５２】
なお、飲料水用タンクや生活水用タンクに対する、飲料水用配水管や、生活水用配水管、飲料水用給水管、生活水用給水管の、連結構造は、上記態様に限定されるものでない。
【００５３】
また、図１に示すように、中継水槽２０には、カートリッジ型タンク４０（ここでは飲料水タンク４１及び生活水用タンク４５の両方）内の残水量、水質、残留塩素から選ばれた少なくとも１つを検出する監視装置５０が設けられている。この実施形態の監視装置５０は、各タンク４１，４５内の飲料水や生活水の水面位置や水質を、撮像又は撮影可能な、画像センサや、各タンク４１，４５内の飲料水や生活水（特に飲料水）の残留塩素を測定可能な残留塩素計などを備えている。また、タンク外部に、水面位置や、水質、残量塩素等の数値を表示できる、ディスプレイを付設して、このディスプレイに表示された数値を、監視装置５０で監視するようにしてもよい。
【００５４】
また、この浄水供給システムにおいては、通信手段（ここでは無線通信）を介して、浄水場１及び監視装置５０のそれぞれと通信可能な管理センター５５が設けられている。なお、この実施形態の通信手段としては無線通信であるが、有線通信でもよい。
【００５５】
更に、上記管理センター５５は、監視装置５０から受信した、カートリッジ型タンク４０（飲料水タンク４１及び生活水用タンク４５）の、残水量、水質、残留塩素から選ばれた少なくとも１つの情報に基づいて、浄水場１に対して、中継水槽２０への給水、メンテナンスから選ばれた少なくとも１つの必要とされる作業情報を送信するように構成されている。
【００５６】
すなわち、飲料水タンク４１及び生活水用タンク４５の残水量が基準値以下となった場合や、水質が異常となった場合、更には、残留塩素量が基準値以上となった場合に、それらの情報が、監視装置５０から通信手段を介して管理センター５５へ送られ、管理センター５５から浄水場１に、輸送手段１０による飲料水タンク４１や生活水用タンク４５への給水指示がなされるようになっている。
【００５７】
また、この浄水供給システムにおいては、中継水槽２０には、ポンプＰや、監視装置５０を動作させるための、電力を蓄えて供給するための自然発電装置６０が設置されている。
【００５８】
図１に示すように、この実施形態では、中継水槽２０が地下に埋設された中継拠点１５の屋根に、太陽光により電力を蓄電する太陽光発電装置６１が設置されており、また、中継水槽２０の上方に、風力により電力を蓄電する風力発電装置６２が設置されている。各装置６１，６２は、電線等を介してポンプＰ及び監視装置５０に電気的にそれぞれ接続されている。その結果、各装置６１，６２により蓄電した電力が、ポンプＰや監視装置５０に供給されて、ポンプＰや監視装置５０が動作するようになっている。
【００５９】
次に、上記構造をなした、本発明に係る浄水供給システムの作用効果について説明する。
【００６０】
すなわち、この浄水供給システムにおいては、浄水場１から取水した飲料水や生活水を、タンクローリー車等の輸送手段１０のタンクに充填し、同輸送手段１０が中継水槽２０まで移動する。その後、輸送手段１０のタンクから、飲料水用給水管３５を通して飲料水が供給されると、飲料水用分配管３５ａや各連結管３５ｂを介して、各飲料水用タンク４１内に、飲料水がそれぞれ供給されて貯留される。また、輸送手段１０のタンクから、生活水用給水管３６を通して生活水が供給されると、生活水用分配管３６ａや各連結管３６ｂを介して、各生活水用タンク４５に生活水がそれぞれ供給されて貯留される。各タンク４１，４５に貯留された飲料水や生活水は、ポンプＰを介して、飲料水用配水管３１や生活水用配水管３２を流通するので、各需要者宅５に飲料水や生活水を供給することができる。なお、中継水槽２０にポンプＰが設置されておらず、配水管３０の途中にポンプＰが配置されている場合には、このポンプＰを介して、配水管３０を通して各需要者宅５へ、タンク内の水を送出することができ、又は、中継水槽２０と各需要者宅５との間に水位差がある場合には、この水位差を利用して、配水管３０を通して各需要者宅５へ、タンク内の水を送出することができる。
【００６１】
ところで、例えば、過疎地や、いわゆる限界集落などにおいては、浄水場から各需要者宅を繋ぐ給水管を新設したり、更新したりすること（例えば、老朽化や災害等に起因する取替や補修等）が、経済的又は行政効率の観点から難しい。
【００６２】
これに対して、この浄水供給システムにおいては、上述したように、浄水場１から輸送手段１０によって、一旦、中継水槽２０の各カートリッジ型タンク４０（飲料水用タンク４１や生活水用タンク４５）に、飲料水や生活水を貯留した後、配水管３０（飲料水用配水管３１や生活水用配水管３２）を通じて、それらの水を各需要者宅５へ供給するので、給水管を更新するよりも、浄水供給システムの構築費用を低く抑えることができ、経済的となる。
【００６３】
また、複数のカートリッジ型タンク４０は中継水槽２０内に着脱可能に収容されている。そのため、例えば、地震や台風、火災等の災害によって、浄水場１と各需要者宅５とを連結する給水管や、中継水槽２０と各需要者宅５とを連結する配水管３０が破損して断水した際に、中継水槽２０から水が貯留されたカートリッジ型タンク４０を取外すことができる。ここでは、中継水槽２０の上方の覆工板２７を取外して、タンク収容空間２４の上方を開口した後、クレーンのフック等を、各タンク４１，４５の引き掛け部４１ｂ，４５ｂに引き掛けて持ち上げることで、中継水槽２０から各タンク４１，４５を取外すことができる。こうして各タンク４１，４５を中継水槽２０から取外した後、水が必要な地域に搬送することによって、各タンク４１，４５から、飲料水や生活水を直接、需要者に供給することができる。
【００６４】
また、この実施形態においては、カートリッジ型タンク４０として、飲料水として使用可能な水を貯留する飲料水用タンク４１と、生活水として使用可能な水を貯留する生活水用タンク４５とを有しているので、飲料水と生活水とを、飲料水用タンク４１や、生活水用タンク４５に別々に貯留して供給することができる。この際、生活水は浄水場１での水処理作業を簡略化できるので、全てを飲料水として提供する場合に比べて、浄水場１での水処理作業を効率化することができる。
【００６５】
更に、この実施形態においては、管理センター５５は、監視装置５０から受信した残水量、水質、残留塩素から選ばれた少なくとも１つの情報に基づいて、浄水場１に対して、中継水槽２０への給水や、メンテナンスから選ばれた少なくとも１つの必要とされる作業情報を送信するように構成されているので、浄水場１においては、カートリッジ型タンク４０内の貯留水の状況変化に対して、確実かつ迅速に対処することが可能となる。
【００６６】
また、この実施形態においては、中継水槽２０には、ポンプＰ及び監視装置５０を動作させるための電力を蓄えて、供給するための自然発電装置６０（ここでは太陽光発電装置６１及び風力発電装置６２）が設置されているので、浄水供給システムをより経済的にすることができると共に、地震や台風、火災等の災害によって電力供給が途絶えた場合でも、例えば、太陽光や、風力、地熱等を利用する自然発電装置の電力によって、ポンプＰや監視装置５０を動作させることができる。
【００６７】
更に図１に示すように、中継水槽２０は、外気温に影響されにくい地下に埋設されているので、各カートリッジ型タンク４０に貯留された水の水温の変動を少なくすることができる。
【００６８】
また、図２や図３に示すように、飲料水用タンク４１と、生活水用タンク４５とは、中継水槽２０内の別々の区画Ｅ１，Ｅ２に着脱可能に収容されているので、飲料水用タンク４１内の水と、生活水用タンク４５内の水とが、リークすることを確実に防止することができる。更に、区画を分けて収容することにより、作業時に飲料水用タンク４１と、生活水用タンク４５とを取り違えることを防止できる。
【００６９】
また、この実施形態では配水管３０は樹脂製とされ、更に図１に示すように、地上に露出した状態で配管されるので、配水管３０自体のコストを低く抑えることができると共に、配水管３０の配管も比較的容易なため、浄水供給システムの構築がより簡単になる。
【００７０】
なお、本発明は、上述した実施形態に限定されるものではなく、本発明の要旨の範囲内で、各種の変形実施形態が可能であり、そのような実施形態も本発明の範囲に含まれる。
【符号の説明】
【００７１】
１  浄水場
５  需要者宅
１０  輸送手段
１５  中継拠点
２０  中継水槽
２１  底壁
２１ａ  凹部
２２，２３  側壁
２４  タンク収容空間
２５  配管支持壁
２６  覆工板支持部
２７  覆工板
２８  第１配管支持部
２９  第２配管支持部
３０  配水管
３１  飲料水用配水管
３２  生活水用配水管
３１ａ，３２ａ  始端部
３１ｂ，３２ｂ  連結管
３５  飲料水用給水管
３５ａ  飲料水用分配管
３５ｂ  連結管
３６  生活水用給水管
３６ａ  生活水用分配管
３６ｂ  連結管
４０  カートリッジ型タンク
４１  飲料水用カートリッジ型タンク（飲料水用タンク）
４５   生活水用カートリッジ型タンク（生活水用タンク）
４１ａ，４５ａ  空気抜き部
４１ｂ，４５ｂ  引き掛け部
５０  監視装置
５５  管理センター
６０  自然発電装置
６１  太陽光発電装置
６２  風力発電装置
Ｅ１  第１区画
Ｅ２  第２区画
Ｐ  ポンプ
【図１】
2020079525.tif 000003
【図２】
2020079525.tif 000004
【図３】
2020079525.tif 000005
【図４】
2020079525.tif 000006